(57)【特許請求の範囲】
【請求項１】
セルラー通信システムの端末装置を、動的にスケジュールされたサウンディング基準信号を前記端末装置から基地局へ送信するために使用するサウンディング基準信号構成を適用するように構成するステップと、
前記サウンディング基準信号の送信のスケジューリングに関し、前記端末装置に対してアップリンクデータ送信が同時にスケジュールされているかどうかに関わらず、前記端末装置へ送信されるダウンリンク制御メッセージを利用するステップと、
を含み、
前記端末装置を、該端末装置から前記基地局へ第２のサウンディング基準信号を周期的に半静的に送信するために使用する第２のサウンディング基準信号構成を適用するように構成するステップをさらに含み、前記両方のサウンディング基準信号構成が並行して使用され、
前記動的にスケジュールされたサウンディング基準信号が、前記周期的サウンディング基準信号の送信と衝突するようにスケジュールされている場合、前記周期的サウンディング基準信号の送信よりも前記動的にスケジュールされたサウンディング基準信号の送信を優先させるステップをさらに含む、
ことを特徴とする方法。
【請求項２】
前記サウンディング基準信号構成の半静的通信リソースに関連する前記サウンディング基準信号のワンショット送信をトリガするステップをさらに含む、
ことを特徴とする請求項１に記載の方法。
【請求項３】
前記サウンディング基準信号構成の通信パラメータが半静的に構成される、
ことを特徴とする請求項１又は請求項２に記載の方法。
【請求項４】
前記半静的に構成された通信パラメータが、帯域幅通信リソース、前記サウンディング基準信号の信号シーケンスの巡回シフトを定める巡回シフトリソース、前記サウンディング基準信号のスペクトル形状を定めるスペクトル形状リソース、前記サウンディング基準信号の周期性を定める周期性パラメータ、及び前記サウンディング基準信号の送信タイミングを定めるサブフレームオフセットパラメータのうちの少なくとも１つを含む、
ことを特徴とする請求項３に記載の方法。
【請求項５】
前記ダウンリンク制御メッセージが、前記第２のサウンディング基準信号のスケジューリングに使用される情報要素を含むユニバーサル移動体通信システム、ロングタームエボリューションの仕様に基づく物理ダウンリンク制御チャネルフォーマット３Ａメッセージである、
ことを特徴とする請求項１から請求項４のいずれかに記載の方法。
【請求項６】
セルラー通信システムの端末装置を、動的にスケジュールされたサウンディング基準信号を前記端末装置から基地局へ送信するために使用するサウンディング基準信号構成を適用するように構成するステップと、
前記サウンディング基準信号の送信のスケジューリングに関し、前記端末装置に対してアップリンクデータ送信が同時にスケジュールされているかどうかに関わらず、前記端末装置へ送信されるダウンリンク制御メッセージを利用するステップと、
を含み、
前記ダウンリンク制御メッセージが、第２のサウンディング基準信号の送信が前記端末装置に対してスケジュールされているかどうかを前記端末装置に示す１ビットの情報要素を含む、
ことを特徴とする方法。
【請求項７】
セルラー通信システムの端末装置を、動的にスケジュールされたサウンディング基準信号を前記端末装置から基地局へ送信するために使用するサウンディング基準信号構成を適用するように構成するステップと、
前記サウンディング基準信号の送信のスケジューリングに関し、前記端末装置に対してアップリンクデータ送信が同時にスケジュールされているかどうかに関わらず、前記端末装置へ送信されるダウンリンク制御メッセージを利用するステップと、
を含み、
前記端末装置を、動的にスケジュールされたサウンディング基準信号を送信するために使用する複数の異なる動的にスケジュールされたサウンディング基準信号構成を適用するように構成するステップと、
全ての動的にスケジュールされたサウンディング基準信号の連続するワンショット送信を１つのスケジューリングコマンドでトリガするステップと、
をさらに含むことを特徴とする方法。
【請求項８】
セルラー通信システムの端末装置を、動的にスケジュールされたサウンディング基準信号を前記端末装置から基地局へ送信するために使用するサウンディング基準信号構成を適用するように構成するステップと、
前記サウンディング基準信号の送信のスケジューリングに関し、前記端末装置に対してアップリンクデータ送信が同時にスケジュールされているかどうかに関わらず、前記端末装置へ送信されるダウンリンク制御メッセージを利用するステップと、
を含み、
同じ動的にスケジュールされたサウンディング基準信号構成を複数の端末装置に割り当てるステップと、
前記複数の端末装置のうちの１つのみを、前記サウンディング基準信号構成を一度に利用するようにスケジュールするステップと、
をさらに含むことを特徴とする方法。
【請求項９】
セルラー通信システムの端末装置を、動的にスケジュールされたサウンディング基準信号を前記端末装置から基地局へ送信するために使用するサウンディング基準信号構成を適用するように構成するステップと、
前記サウンディング基準信号の送信のスケジューリングに関し、前記端末装置に対してアップリンクデータ送信が同時にスケジュールされているかどうかに関わらず、前記端末装置へ送信されるダウンリンク制御メッセージを利用するステップと、
を含み、
前記端末装置を、該端末装置から前記基地局へ第２のサウンディング基準信号を周期的に半静的に送信するために使用する第２のサウンディング基準信号を適用するように構成するステップと、
前記周期的な第２のサウンディング基準信号を第１の送信時点に通信するステップと、  前記動的にスケジュールされたサウンディング基準信号の送信を第２の送信時点までにスケジュールするステップと、
を含み、前記第１の送信時点と第２の送信時点の間の持続時間が、前記端末装置と前記基地局の間の無線チャネルの仮定されるコヒーレンス時間よりも短く、
前記動的にスケジュールされたサウンディング基準信号と前記第２のサウンディング基準信号を集約して、サウンディング基準信号分析の信頼性を高めるステップをさらに含む、
ことを特徴とする方法。
【請求項１０】
セルラー通信システムの端末装置を、動的にスケジュールされたサウンディング基準信号を前記端末装置から基地局へ送信するために使用するサウンディング基準信号構成を適用するように構成するステップと、
前記サウンディング基準信号の送信のスケジューリングに関し、前記端末装置に対してアップリンクデータ送信が同時にスケジュールされているかどうかに関わらず、前記端末装置へ送信されるダウンリンク制御メッセージを利用するステップと、
を含み、
２つの動的にスケジュールされたサウンディング基準信号の送信を２つの送信時点までにスケジュールするステップを含み、前記２つの送信時点間の持続時間が、前記端末装置と前記基地局の間の無線チャネルの仮定されるコヒーレンス時間よりも短く、
前記２つの動的にスケジュールされるサウンディング基準信号を集約して、サウンディング基準信号分析の信頼性を高めるステップをさらに含む、
ことを特徴とする方法。
【請求項１１】
セルラー通信システムの端末装置を、動的にスケジュールされたサウンディング基準信号を前記端末装置から基地局へ送信するために使用するサウンディング基準信号構成を適用するように構成するステップと、
前記サウンディング基準信号の送信のスケジューリングに関し、前記端末装置に対してアップリンクデータ送信が同時にスケジュールされているかどうかに関わらず、前記端末装置へ送信されるダウンリンク制御メッセージを利用するステップと、
を含み、
前記端末装置を、該端末装置から前記基地局へ周期的サウンディング基準信号を周期的に半静的に送信するために使用する２つのサウンディング基準信号構成を適用するように構成するステップと、
前記２つのサウンディング基準信号構成の周期的送信タイミングを、前記２つのサウンディング基準信号構成の送信時点間の持続時間が前記端末装置と前記基地局の間の無線チャネルの仮定されるコヒーレンス時間よりも短くなるように割り当てるステップと、
前記２つのサウンディング基準信号構成に関連する連続する送信時点に受信した前記サウンディング基準信号を集約して、サウンディング基準信号分析の信頼性を高めるステップと、
をさらに含むことを特徴とする方法。
【請求項１２】
セルラー通信システムの端末装置を、動的にスケジュールされたサウンディング基準信号を前記端末装置から基地局へ送信するために使用するサウンディング基準信号構成を適用するように構成し、前記サウンディング基準信号の送信のスケジューリングに関して、前記端末装置に対してアップリンクデータ送信が同時にスケジュールされているかどうかに関わらず、前記端末装置へ送信されるダウンリンク制御メッセージを利用するように構成された通信制御回路を備え、
前記通信制御回路が、前記端末装置を、該端末装置から前記基地局へ第２のサウンディング基準信号を周期的に半静的に送信するために使用する第２のサウンディング基準信号構成を適用するように構成するようにさらに構成され、前記両方のサウンディング基準信号構成が並行して使用され、
前記通信制御回路が、前記動的にスケジュールされたサウンディング基準信号が前記周期的サウンディング基準信号の送信と衝突するようにスケジュールされている場合、前記周期的サウンディング基準信号の送信よりも前記動的にスケジュールされたサウンディング基準信号の送信を優先させるように構成される、
ことを特徴とする装置。
【請求項１３】
前記通信制御回路が、前記サウンディング基準信号構成の半静的通信リソースに関連する前記サウンディング基準信号のワンショット送信をトリガするようにさらに構成される、
ことを特徴とする請求項１２に記載の装置。
【請求項１４】
前記サウンディング基準信号構成の通信パラメータが半静的に構成される、
ことを特徴とする請求項１２又は請求項１３に記載の装置。
【請求項１５】
前記半静的に構成された通信パラメータが、帯域幅通信リソース、前記サウンディング基準信号の信号シーケンスの巡回シフトを定める巡回シフトリソース、前記サウンディング基準信号のスペクトル形状を定めるスペクトル形状リソース、前記サウンディング基準信号の周期性を定める周期性パラメータ、及び前記サウンディング基準信号の送信タイミングを定めるサブフレームオフセットパラメータのうちの少なくとも１つを含む、
ことを特徴とする請求項１４に記載の装置。
【請求項１６】
前記ダウンリンク制御メッセージが、前記第２のサウンディング基準信号のスケジューリングに使用される情報要素を含むユニバーサル移動体通信システム、ロングタームエボリューションの仕様に基づく物理ダウンリンク制御チャネルフォーマット３Ａメッセージである、
ことを特徴とする請求項１２から請求項１５のいずれかに記載の装置。
【請求項１７】
セルラー通信システムの端末装置を、動的にスケジュールされたサウンディング基準信号を前記端末装置から基地局へ送信するために使用するサウンディング基準信号構成を適用するように構成し、前記サウンディング基準信号の送信のスケジューリングに関して、前記端末装置に対してアップリンクデータ送信が同時にスケジュールされているかどうかに関わらず、前記端末装置へ送信されるダウンリンク制御メッセージを利用するように構成された通信制御回路を備え、
前記ダウンリンク制御メッセージが、第２のサウンディング基準信号の送信が前記端末装置に対してスケジュールされているかどうかを前記端末装置に示す１ビットの情報要素を含む、
ことを特徴とする装置。
【請求項１８】
セルラー通信システムの端末装置を、動的にスケジュールされたサウンディング基準信号を前記端末装置から基地局へ送信するために使用するサウンディング基準信号構成を適用するように構成し、前記サウンディング基準信号の送信のスケジューリングに関して、前記端末装置に対してアップリンクデータ送信が同時にスケジュールされているかどうかに関わらず、前記端末装置へ送信されるダウンリンク制御メッセージを利用するように構成された通信制御回路を備え、
前記通信制御回路が、前記端末装置を、動的にスケジュールされたサウンディング基準信号を送信するために使用する複数の異なる動的にスケジュールされたサウンディング基準信号構成を適用するように構成し、全ての動的にスケジュールされたサウンディング基準信号の連続するワンショット送信を１つのスケジューリングコマンドでトリガするようにさらに構成される、
ことを特徴とする装置。
【請求項１９】
セルラー通信システムの端末装置を、動的にスケジュールされたサウンディング基準信号を前記端末装置から基地局へ送信するために使用するサウンディング基準信号構成を適用するように構成し、前記サウンディング基準信号の送信のスケジューリングに関して、前記端末装置に対してアップリンクデータ送信が同時にスケジュールされているかどうかに関わらず、前記端末装置へ送信されるダウンリンク制御メッセージを利用するように構成された通信制御回路を備え、
前記装置が前記基地局に適用可能であり、前記通信制御回路が、同じ動的にスケジュールされたサウンディング基準信号構成を複数の端末装置に割り当て、前記複数の端末装置のうちの１つのみを、前記サウンディング基準信号構成を一度に利用するようにスケジュールするようにさらに構成される、
ことを特徴とする装置。
【請求項２０】
セルラー通信システムの端末装置を、動的にスケジュールされたサウンディング基準信号を前記端末装置から基地局へ送信するために使用するサウンディング基準信号構成を適用するように構成し、前記サウンディング基準信号の送信のスケジューリングに関して、前記端末装置に対してアップリンクデータ送信が同時にスケジュールされているかどうかに関わらず、前記端末装置へ送信されるダウンリンク制御メッセージを利用するように構成された通信制御回路を備え、
前記装置が前記基地局に適用可能であり、前記通信制御回路が、前記端末装置を、該端末装置から前記基地局へ第２のサウンディング基準信号を周期的に半静的に送信するために使用する第２のサウンディング基準信号を適用するように構成し、前記周期的な第２のサウンディング基準信号を第１の送信時点に通信し、前記動的にスケジュールされたサウンディング基準信号の送信を第２の送信時点までにスケジュールするようにさらに構成され、前記第１の送信時点と第２の送信時点の間の持続時間が、前記端末装置と前記基地局の間の無線チャネルの仮定されるコヒーレンス時間よりも短く、前記通信制御回路が、前記動的にスケジュールされたサウンディング基準信号と前記第２のサウンディング基準信号を集約して、サウンディング基準信号分析の信頼性を高めるようにさらに構成される、ことを特徴とする装置。
【請求項２１】
セルラー通信システムの端末装置を、動的にスケジュールされたサウンディング基準信号を前記端末装置から基地局へ送信するために使用するサウンディング基準信号構成を適用するように構成し、前記サウンディング基準信号の送信のスケジューリングに関して、前記端末装置に対してアップリンクデータ送信が同時にスケジュールされているかどうかに関わらず、前記端末装置へ送信されるダウンリンク制御メッセージを利用するように構成された通信制御回路を備え、
前記装置が前記基地局に適用可能であり、前記通信制御回路が、２つの動的にスケジュールされたサウンディング基準信号の送信を２つの送信時点までにスケジュールするようにさらに構成され、前記２つの送信時点間の持続時間が、前記端末装置と前記基地局の間の無線チャネルの仮定されるコヒーレンス時間よりも短く、前記通信制御回路が、前記動的にスケジュールされるサウンディング基準信号を集約して、サウンディング基準信号分析の信頼性を高めるようにさらに構成される、
ことを特徴とする装置。
【請求項２２】
セルラー通信システムの端末装置を、動的にスケジュールされたサウンディング基準信号を前記端末装置から基地局へ送信するために使用するサウンディング基準信号構成を適用するように構成し、前記サウンディング基準信号の送信のスケジューリングに関して、前記端末装置に対してアップリンクデータ送信が同時にスケジュールされているかどうかに関わらず、前記端末装置へ送信されるダウンリンク制御メッセージを利用するように構成された通信制御回路を備え、
前記装置が前記基地局に適用可能であり、前記通信制御回路が、前記端末装置を、該端末装置から前記基地局へ周期的サウンディング基準信号を周期的に半静的に送信するために使用する２つのサウンディング基準信号構成を適用するように構成し、前記２つのサウンディング基準信号構成の周期的送信タイミングを、前記２つのサウンディング基準信号構成の送信時点間の持続時間が前記端末装置と前記基地局の間の無線チャネルの仮定されるコヒーレンス時間よりも短くなるように割り当て、前記２つのサウンディング基準信号構成に関連する連続する送信時点に受信した前記サウンディング基準信号を集約して、サウンディング基準信号分析の信頼性を高めるようにさらに構成される、
ことを特徴とする装置。
【請求項２３】
前記装置が、前記セルラー通信システムの基地局である、
ことを特徴とする請求項１２から請求項２２のいずれかに記載の装置。
【請求項２４】
前記装置が、前記セルラー通信システムの端末装置である、
ことを特徴とする請求項１２から請求項１８のいずれかに記載の装置。
【請求項２５】
少なくとも１つのプロセッサと、
コンピュータプログラムコードを含む少なくとも１つのメモリと、
を備え、前記少なくとも１つのメモリ及び前記コンピュータプログラムコードが、前記少なくとも１つのプロセッサにより、前記装置に、請求項１から請求項１１のいずれかに記載の方法を実行させるように構成されることを特徴とする装置。
【請求項２６】
セルラー通信システムの端末装置を、動的にスケジュールされたサウンディング基準信号を前記端末装置から基地局へ送信するために使用するサウンディング基準信号構成を適用するように構成するための手段と、
前記サウンディング基準信号の送信のスケジューリングに関し、前記端末装置に対してアップリンクデータ送信が同時にスケジュールされているかどうかに関わらず、前記端末装置へ送信されるダウンリンク制御メッセージを利用するための手段と、
前記端末装置を、該端末装置から前記基地局へ第２のサウンディング基準信号を周期的に半静的に送信するために使用する第２のサウンディング基準信号構成を適用するように構成するための手段であって、前記両方のサウンディング基準信号構成が並行して使用される該手段と、
前記動的にスケジュールされたサウンディング基準信号が、前記周期的サウンディング基準信号の送信と衝突するようにスケジュールされている場合、前記周期的サウンディング基準信号の送信よりも前記動的にスケジュールされたサウンディング基準信号の送信を優先させるための手段と、
を備えることを特徴とする装置。
【請求項２７】
セルラー通信システムの端末装置を、動的にスケジュールされたサウンディング基準信号を前記端末装置から基地局へ送信するために使用するサウンディング基準信号構成を適用するように構成するための手段と、
前記サウンディング基準信号の送信のスケジューリングに関し、前記端末装置に対してアップリンクデータ送信が同時にスケジュールされているかどうかに関わらず、前記端末装置へ送信されるダウンリンク制御メッセージを利用するための手段と、
を含み、
前記ダウンリンク制御メッセージが、第２のサウンディング基準信号の送信が前記端末装置に対してスケジュールされているかどうかを前記端末装置に示す１ビットの情報要素を含む、
ことを特徴とする装置。
【請求項２８】
セルラー通信システムの端末装置を、動的にスケジュールされたサウンディング基準信号を前記端末装置から基地局へ送信するために使用するサウンディング基準信号構成を適用するように構成するための手段と、
前記サウンディング基準信号の送信のスケジューリングに関し、前記端末装置に対してアップリンクデータ送信が同時にスケジュールされているかどうかに関わらず、前記端末装置へ送信されるダウンリンク制御メッセージを利用するための手段と、
を含み、
前記端末装置を、動的にスケジュールされたサウンディング基準信号を送信するために使用する複数の異なる動的にスケジュールされたサウンディング基準信号構成を適用するように構成するための手段と、
全ての動的にスケジュールされたサウンディング基準信号の連続するワンショット送信を１つのスケジューリングコマンドでトリガするための手段と、
をさらに含むことを特徴とする装置。
【請求項２９】
セルラー通信システムの端末装置を、動的にスケジュールされたサウンディング基準信号を前記端末装置から基地局へ送信するために使用するサウンディング基準信号構成を適用するように構成するための手段と、
前記サウンディング基準信号の送信のスケジューリングに関し、前記端末装置に対してアップリンクデータ送信が同時にスケジュールされているかどうかに関わらず、前記端末装置へ送信されるダウンリンク制御メッセージを利用するための手段と、
を含み、
同じ動的にスケジュールされたサウンディング基準信号構成を複数の端末装置に割り当てるための手段と、
前記複数の端末装置のうちの１つのみを、前記サウンディング基準信号構成を一度に利用するようにスケジュールするための手段と、
をさらに含むことを特徴とする装置。
【請求項３０】
セルラー通信システムの端末装置を、動的にスケジュールされたサウンディング基準信号を前記端末装置から基地局へ送信するために使用するサウンディング基準信号構成を適用するように構成するための手段と、
前記サウンディング基準信号の送信のスケジューリングに関し、前記端末装置に対してアップリンクデータ送信が同時にスケジュールされているかどうかに関わらず、前記端末装置へ送信されるダウンリンク制御メッセージを利用するための手段と、
を含み、
前記端末装置を、該端末装置から前記基地局へ第２のサウンディング基準信号を周期的に半静的に送信するために使用する第２のサウンディング基準信号を適用するように構成するための手段と、
前記周期的な第２のサウンディング基準信号を第１の送信時点に通信するための手段と、
前記動的にスケジュールされたサウンディング基準信号の送信を第２の送信時点までにスケジュールするための手段と、
を含み、前記第１の送信時点と第２の送信時点の間の持続時間が、前記端末装置と前記基地局の間の無線チャネルの仮定されるコヒーレンス時間よりも短く、
前記動的にスケジュールされたサウンディング基準信号と前記第２のサウンディング基準信号を集約して、サウンディング基準信号分析の信頼性を高めるための手段をさらに含む、
ことを特徴とする装置。
【請求項３１】
セルラー通信システムの端末装置を、動的にスケジュールされたサウンディング基準信号を前記端末装置から基地局へ送信するために使用するサウンディング基準信号構成を適用するように構成するための手段と、
前記サウンディング基準信号の送信のスケジューリングに関し、前記端末装置に対してアップリンクデータ送信が同時にスケジュールされているかどうかに関わらず、前記端末装置へ送信されるダウンリンク制御メッセージを利用するための手段と、
を含み、
２つの動的にスケジュールされたサウンディング基準信号の送信を２つの送信時点までにスケジュールするための手段を含み、前記２つの送信時点間の持続時間が、前記端末装置と前記基地局の間の無線チャネルの仮定されるコヒーレンス時間よりも短く、
前記２つの動的にスケジュールされるサウンディング基準信号を集約して、サウンディング基準信号分析の信頼性を高めるための手段をさらに含む、
ことを特徴とする装置。
【請求項３２】
セルラー通信システムの端末装置を、動的にスケジュールされたサウンディング基準信号を前記端末装置から基地局へ送信するために使用するサウンディング基準信号構成を適用するように構成するための手段と、
前記サウンディング基準信号の送信のスケジューリングに関し、前記端末装置に対してアップリンクデータ送信が同時にスケジュールされているかどうかに関わらず、前記端末装置へ送信されるダウンリンク制御メッセージを利用するための手段と、
を含み、
前記端末装置を、該端末装置から前記基地局へ周期的サウンディング基準信号を周期的に半静的に送信するために使用する２つのサウンディング基準信号構成を適用するように構成するための手段と、
前記２つのサウンディング基準信号構成の周期的送信タイミングを、前記２つのサウンディング基準信号構成の送信時点間の持続時間が前記端末装置と前記基地局の間の無線チャネルの仮定されるコヒーレンス時間よりも短くなるように割り当てるための手段と、
前記２つのサウンディング基準信号構成に関連する連続する送信時点に受信した前記サウンディング基準信号を集約して、サウンディング基準信号分析の信頼性を高めるための手段と、
をさらに含むことを特徴とする装置。
【請求項３３】
請求項１から請求項１１のいずれかに記載の方法を装置に実行させるためのプログラムが記録された、コンピュータ読み取り可能な記録媒体。
【発明の詳細な説明】
【技術分野】
【０００１】
本発明は、セルラー無線通信の分野に関し、詳細には、最新のセルラー通信システムにおけるアップリンクサウンディング基準信号の送信を構成することに関する。
【背景技術】
【０００２】
ユニバーサル移動体通信システム（ＵＭＴＳ）ロングタームエボリューション（ＬＴＥ）は、周波数領域のパケットスケジューリング、送信タイミング制御及び送信電力制御、適応的変調及び符号化、マルチユーザＭＩＭＯ（マルチ入力マルチ出力）の通信ペアリングなどの多くの制御目的でアップリンクサウンディング基準信号（ＳＲＳ）を利用する。ＬＴＥ−Ａｄｖａｎｃｅｄでは、コンポーネントキャリアの集約、１つのコンポーネントキャリア内のマルチクラスタ（周波数領域クラスタリング）スケジューリング、アップリンクプリコーディングマトリクスインジケータ（ＰＭＩ）及びマルチアンテナ送信のためのランクインジケータを決定する際の支援として、チャネル相互関係を活用する際のダウンリンクチャネル状態の推定における支援として、及びアップリンク協調多地点送信／受信（ＣｏＭＰ）において協調プリコーディング及び／又はビーム選択を選択する際の支援として、などの多くの新たなＳＲＳの使用事例がある。次回のＵＭＴＳの進化版では、例えば、感度の良いＣｏＭＰ通信又はプリコーディング情報に関するＳＲＳ分析の正確な結果が必要とされ、従ってより高いＳＲＳ送信の信頼性が必要とされる。
【発明の概要】
【課題を解決するための手段】
【０００３】
本発明の１つの態様では、請求項１に特定する方法を提供する。
【０００４】
本発明の別の態様では、請求項１４に特定する装置を提供する。
【０００５】
本発明の別の態様では、請求項２９に特定する装置を提供する。
【０００６】
本発明の別の態様では、請求項３０に特定する装置を提供する。
【０００７】
本発明のさらに別の態様では、請求項３１に特定するコンピュータ可読分散媒体上に具体化されるコンピュータプログラム製品を提供する。
【０００８】
本発明のいくつかの実施形態は、従属項に定義する。
【０００９】
以下、添付図面を参照しながら、本発明の実施形態をほんの一例として説明する。
【図面の簡単な説明】
【００１０】
【図１】セルラー通信システムの移動端末と基地局の間の通信を示す図である。
【図２】本発明の実施形態による、サウンディング基準信号の構成処理を示すフロー図である。
【図３】本発明の実施形態による、サウンディング基準信号の構成及びスケジューリングの処理を示すシグナリング図である。
【図４】本発明の実施形態による、サウンディング基準信号のスケジューリングを示す図である。
【図５Ａ】サウンディング基準信号の送信をバンドリングするための実施形態を示す図である。
【図５Ｂ】サウンディング基準信号送信をバンドリングするための実施形態を示す図である。
【図５Ｃ】サウンディング基準信号送信をバンドリングするための実施形態を示す図である。
【図６】本発明の実施形態による装置を示すブロック図である。
【図７】本発明の実施形態による別の装置を示すブロック図である。
【図８】サウンディング基準信号の構成に関するツリー型の帯域幅リソース割り当てを示す図である。
【発明を実施するための形態】
【００１１】
以下の実施形態は例示である。本明細書では、複数の箇所において「ある（ａｎ）」、「１つの（ｏｎｅ）」、又は「いくつかの（ｓｏｍｅ）」実施形態に言及するが、これは、必ずしも個々のこのような言及が同じ（単複の）実施形態を指すこと、又はその特徴が単一の実施形態にしか適用されないことを意味するわけではない。異なる実施形態の単一の特徴を組み合わせて他の実施形態を実現することもできる。
【００１２】
図１に、本発明の実施形態を適用できる通信シナリオを示す。端末装置１０２が、セルラー通信システムの基地局１００と通信している。このセルラー通信システムは、ＵＭＴＳ（ユニバーサル移動体通信システム）のロングタームエボリューション（ＬＴＥ）又はＬＴＥ−Ａｄｖａｎｃｅｄとすることができる。しかしながら、本発明はＵＭＴＳに限定されるものではなく、アップリンクサウンディング基準信号を利用する他の通信システムにも適用することができる。図１に示すように、基地局１００は、ダウンリンク制御チャネル１０４を使用して端末装置１０２にダウンリンク制御メッセージを送信することにより、端末装置１０２と基地局の間に確立された通信リンクを制御する。効率的な通信制御を可能にするために、端末装置１０２は、基地局１００にサウンディング基準信号（ＳＲＳ）１０６を送信し、ＬＴＥのように物理アップリンク共有チャネル（ＰＵＳＣＨ）上のリソースの割り当てに関連して、又は関連せずにＳＲＳ送信を行うことができる。通常、ＳＲＳは、データ送信に使用される周波数帯域よりも広い周波数帯域で送信され、端末装置がＰＵＳＣＨで送信を行っていないときに送信することができる。さらに、ＳＲＳは、無線チャネルのコヒーレンス帯域幅よりも広い帯域幅で、及び無線チャネルのコヒーレンス時間よりも短い時間内に送信される。この結果、基地局１００は、受信したＳＲＳを分析し、このＳＲＳを、背景技術の欄に示したような数多くの通信制御手順に使用する。
【００１３】
本発明の実施形態では、端末装置１０２を少なくとも２つの異なるＳＲＳ構成で構成し、両方のＳＲＳ構成を並行して使用する。ＳＲＳ構成の一方は、従来の周期的ＳＲＳ送信に関連することができ、他方のＳＲＳ構成は、動的にスケジュールされたＳＲＳ送信に関連する。なお、端末装置を、従来の周期的ＳＲＳ送信又は動的にスケジュールされたＳＲＳ送信のいずれかに関連する単一のＳＲＳ構成で構成することもできる。しかしながら、単一の種類のＳＲＳ構成の説明については、本説明を単に一般化したものであるためここでは省略する。
【００１４】
図２に、複数の異なるＳＲＳ構成を割り当てる一般的概念を示す。ブロック２０２において、第１のＳＲＳ構成を、端末装置によって使用されるように構成する。ブロック２０２は、基地局及び端末装置の両方がＳＲＳ構成のパラメータを認識するように、これらの両方において実行することができる。ブロック２０２は、端末装置と基地局の間の少なくとも無線リソース制御（ＲＲＣ）通信を含むこともでき、この場合、ＳＲＳ構成のパラメータが基地局のＲＲＣ回路から端末装置に通信される。第１のＳＲＳ構成は、この第１のＳＲＳ構成により定められる通信リソース及びパラメータを使用することにより、ＳＲＳの周期的送信を利用する。
【００１５】
ブロック２０４において、第２のＳＲＳ構成を、端末装置によって使用されるように構成する。ブロック２０４は、基地局及び端末装置の両方が第２のＳＲＳ構成のパラメータを認識するように、これらの両方において実行することができる。ブロック２０４は、端末装置と基地局の間のＲＲＣ通信を含むこともでき、この場合、第２のＳＲＳ構成のパラメータが基地局のＲＲＣ回路から端末装置に通信される。ＳＲＳの動的にスケジュールされた送信は、第２のＳＲＳ構成により定められる通信リソース及びパラメータを利用する。ブロック２０２又は２０４に従い、同様の方法でさらなるＳＲＳ構成（周期的及び／又は動的）を構成することもできる。
【００１６】
ブロック２０６において、ＳＲＳの利用に信頼性及び柔軟性を与えるために、ブロック２０２及び２０４で構成されたＳＲＳ構成（及びさらなるＳＲＳ構成）を並行して使用する。ＲＲＣシグナリングを介して全てのＳＲＳ構成が停止状態になるまで、これらを並行使用することができる。従って、ＳＲＳ構成及びこれらのパラメータ及びリソースは、上位層ＲＲＣシグナリングを使用することによって実施することができ、これは実際にはＲＲＣパラメータが半静的パラメータであることを意味する。所与のＳＲＳ構成の半静的に構成された通信パラメータは、ＳＲＳの帯域幅を定める帯域幅通信リソース、ＳＲＳの信号シーケンスの巡回シフトを定める巡回シフトリソース（ＬＴＥでは、符号分割多重通信を可能にするためにＳＲＳシーケンスの８つの巡回シフトが可能である）、サウンディング基準信号のスペクトル形状を定めるスペクトル形状リソース（ＳＲＳの櫛状スペクトルの形状、現在ＬＴＥではＳＲＳ帯域幅ごとに２つの異なる形状をサポートする）、サウンディング基準信号の周期性を定める周期性パラメータ、及びサウンディング基準信号の送信タイミングを基準サブフレームからのオフセットとして定めるサブフレームオフセットパラメータ（ゼロから最大３１９サブフレームまで変化することができ、利用可能な最大サブフレームオフセットは、周期性パラメータにより定められる期間に対応する）のうちの少なくとも１つを含むことができる。帯域幅通信リソースに関しては、帯域幅リソースを、ＰＵＳＣＨにおける全てのＳＲＳ送信時間間隔に対して時間的に連続するように構成することもでき、或いは周期性パラメータにより定められる周期性を有する周期的なものとして構成することもできる。ＵＭＴＳ  ＬＴＥでは、基地局が、１０ＭＨｚのシステム帯域幅に、１）４０物理（周波数）リソースブロック（ＰＲＢ）の１つのＳＲＳリソース、２）２０ＰＲＢの２つのＳＲＳリソース、及び／又は３）４ＰＲＢの１０個のＳＲＳリソースという、帯域幅が異なる１３個の異なるＳＲＳ周波数領域物理リソースブロック（ＰＲＢ）リソースを割り当てることができる。ＳＲＳ帯域幅リソースの割り当ては、いくつかのリソース割り当てオプションを含むツリー型トポロジーに従う。ツリー型トポロジーの１つの実施形態を図８に示しており、ここでは０〜１３の数字によって示すＳＲＳ帯域幅リソースの１つ（又はそれ以上）が所与の端末装置に割り当てられている。ＳＲＳ帯域幅通信リソースは、周波数ホッピングを利用してもよいし、又は利用しなくてもよい。構成時には、周波数ホッピングは所定のパターンに従う。ＳＲＳリソースのＰＲＢが少ない（帯域幅が狭い）と、周波数ホッピングに与えられる汎用性が高くなる。理論上、最大ＳＲＳ容量は、１０ＭＨｚの帯域幅でサブフレーム当たり１６０個のＳＲＳ構成である（１０個の４ＰＲＢリソース＊２つの櫛＊８つの並行巡回シフト）。実際、現在では、巡回シフトが異なる同じＳＲＳシーケンスを並行使用することによって生じる干渉が増えないように、利用可能な巡回シフトの部分のみが使用される。端末装置には、２０又は４０ＰＲＢなどの単一の高帯域幅ＳＲＳリソースよりも、むしろ４ＰＲＢなどの複数の分離された低帯域幅の���ＲＳリソースを割り当てることができる。換言すれば、端末装置に割り当てたＳＲＳリソースの間に、他の端末装置に割り当てた１又はそれ以上のＳＲＳリソースを位置付けることができる。これにより、複数の疑似高帯域幅ＳＲＳ構成を設定できるので、マルチクラスタＳＲＳ割り当て、疑似高帯域幅ＳＲＳ構成、及び効率的なＳＲＳリソースの利用が可能になる。
【００１７】
第２のＳＲＳ構成に関しては、周期性パラメータ及び／又はサブフレームオフセットを使用して、動的及び周期的ＳＲＳリソースの効率的な多重化を可能にすることができる。周期性パラメータ及びサブフレームオフセットは、ＳＲＳの許容送信タイミングを効果的に決定し、第２のＳＲＳ構成をスケジュールした場合、端末装置は、予め構成した周期性パラメータ及び／又はサブフレームオフセットによって許容される次の送信時点に、第２のＳＲＳ構成のＳＲＳを送信することができる。第２の（動的な）ＳＲＳ構成では、例えば、第２のＳＲＳ構成がタイミングパラメータとしてサブフレームオフセットのみを定義し、すなわちセル内でＳＲＳが利用されるときには常にＳＲＳ送信を利用できるという原理、或いは第２のＳＲＳ構成がタイミングパラメータとして周期性パラメータとサブフレームオフセットの両方を定義し、すなわち周期性パラメータによって定められた周期ごとにしかＳＲＳ送信を利用できないという原理の一方に従って送信タイミングを定めることができる。
【００１８】
ある実施形態では、動的にスケジュールされたＳＲＳ構成の利用が、基地局によってブロードキャストされるブロードキャストチャネル上でＳＲＳを含むように定められたＳＲＳサブフレームに制限される。ＳＲＳサブフレームを示す現在のブロードキャストシグナリングを、動的にスケジュールされたＳＲＳ構成をサポートするように修正する必要がないことが利点である。
【００１９】
ある実施形態では、ＵＭＴＳ  ＬＴＥのための３ＧＰＰ仕様で定義されるような、ＵＥ固有のＳＲＳ周期性（ＴSRS）及びサブフレームオフセット構成（Ｔoffset）のインデックステーブルの現在未使用のインデックスを使用して、第２のＳＲＳ構成のような動的にスケジュールされたＳＲＳ構成を端末装置に信号送信する。ＳＲＳ構成インデックスの現在未使用のＳＲＳ構成インデックス（ＩSRS）を使用して、動的にスケジュールされたＳＲＳ構成のサブフレームオフセット及び／又は周期性を信号送信することもできる。ＩSRSの現在未使用のインデックスを使用して、信号送信したＳＲＳ構成が、動的に構成されたＳＲＳ構成に関連するものであることを示すこともできる。
【００２０】
図２のフロー図は、一般的レベルで説明したものであり、図２のステップは、基地局及び端末装置のいずれの機能も含む。図２の処理は、コンピュータ可読分散媒体上に具体化される、コンピュータ又はプロセッサによって実行されたときに図２の各ステップを実施するためのソフトウェアモジュールを含むコンピュータプログラム製品により定義することができる。
【００２１】
従来、ＳＲＳ送信自体も本質的に半静的であり、すなわちその再構成は、上位層（ＲＲＣ）で行われることに起因して遅い。本発明の実施形態では、ＳＲＳ構成の少なくとも一部を、動的にスケジュールされたサウンディング基準信号の送信に使用する。第１のＳＲＳ構成が、ＲＲＣシグナリングを通じて定められるような所定の半静的パラメータを含む従来の半静的な周期的ＳＲＳ送信を利用するシナリオについて検討する。また、端末装置に対して第２のＳＲＳ構成を構成する。第２のＳＲＳ構成のパラメータは、第１のＳＲＳ構成の構成と同様に構成することができ、すなわち第２のＳＲＳ構成のパラメータを、上位層シグナリングを通じて変更された半静的パラメータとすることができる。第１のＳＲＳ構成の周期的送信とは対照的に、第２のＳＲＳ構成のＳＲＳの送信は、追加のＳＲＳ送信が必要になったときに基地局によって動的にスケジュールされる。高チャネルサウンディングの信頼性が必要になったときに高速スケジューリング及び高速応答を可能にするために、媒体アクセス制御（ＭＡＣ）層及び／又は物理層などの下位層でスケジューリングを行う。また、ＳＲＳの利用が容量限界に近付いた場合でも、動的ＳＲＳ送信の高速スケジューリングにより、制限されたＳＲＳリソースを効率的に利用できるようにする。図３のシグナリング図に、この実施形態をより詳細に示す。
【００２２】
図３を参照すると、Ｓ１において、基地局に備わったＲＲＣ回路（又は無線アクセスネットワークの別のネットワーク要素）が、端末装置の第１のＳＲＳ構成の半静的パラメータを決定する。この半静的パラメータは、上述したパラメータの１又はそれ以上を含むことができる。さらに、このＲＲＣ回路は、基地局と端末装置の間の無線インターフェイスを介したＲＲＣシグナリングを通じて、このＳＲＳ構成の半静的パラメータを端末装置に通信する。端末装置の通信制御回路は、第１のＳＲＳ構成のパラメータを受け取ると、この第１のＳＲＳ構成のパラメータを適用するように端末装置を構成する。ステップＳ１におけるＳＲＳ構成は、ＵＭＴＳ  ＬＴＥ仕様のリリース８に従って行うことができる。Ｓ２において、ＲＲＣ回路が、端末装置の第２のＳＲＳ構成の半静的パラメータを決定する。この半静的パラメータは、上述したパラメータの１又はそれ以上を含むことができる。さらに、ＲＲＣ回路は、基地局と端末装置の間の無線インターフェイスを介したＲＲＣシグナリングを通じて、この第２のＳＲＳ構成の半静的パラメータを端末装置に通信する。端末装置の通信制御回路は、第２のＳＲＳ構成のパラメータを受け取ると、この第２のＳＲＳ構成のパラメータを適用するように端末装置を構成する。ステップＳ２におけるＳＲＳ構成も、ＵＭＴＳ  ＬＴＥ仕様のリリース８に従って行うことができる。しかしながら、ネットワークの観点から見た第１のＳＲＳ構成と第２のＳＲＳ構成の１つの相違点は、第１のＳＲＳ構成は、複数の端末装置のＳＲＳ送信が衝突しないようにセル内の各端末装置に対して一意であるのに対し、第２のＳＲＳ構成は、複数の端末装置に割り当てることができ、スケジューラが第２のＳＲＳ構成のＳＲＳ送信のスケジューリングを衝突が発生しないように処理する点である。実際には、同じＳＲＳ構成を割り当てられた端末装置が、同じＳＲＳ構成のＳＲＳ送信を同時に行うようにスケジュールされることはない。
【００２３】
Ｓ３において、端末装置が、第１のＳＲＳ構成によって定められた通信リソース及びその他の送信パラメータを使用することにより、第１のＳＲＳ構成のＳＲＳ送信を周期的に行う。この周期的送信は、ＲＲＣレベルの再構成まで、又は別途指示がない限り継続する。
【００２４】
Ｓ４において、基地局の通信制御回路（又は別のネットワーク要素）が、ＳＲＳ分析の信頼性を高めるためにさらなるＳＲＳ送信が必要であると判断し、この結果、基地局に備わったスケジューラ（又は別のネットワーク要素）が、第２のＳＲＳ構成のＳＲＳ送信をスケジュールする。Ｓ４は、第２のＳＲＳ構成の通信リソース及びパラメータに適した送信タイミングを決定するステップ、端末装置の第２のＳＲＳ構成にアップリンク送信リソース（送信タイミング）をスケジューリングするステップ、及び第２のＳＲＳ構成のＳＲＳ送信を行う旨を示すダウンリンク制御メッセージを端末装置へ送信するステップを含む。端末装置は、ダウンリンク制御メッセージを受信し、これを処理し、Ｓ５において、この第２のＳＲＳ構成のＳＲＳを基地局へ送信するように端末装置の送信機を構成する。次に、通信制御回路は、追加としてスケジュールされたＳＲＳ送信を受信し、ＳＲＳ分析を改善するように、例えばアップリンクのシングルユーザＭＩＭＯ又は協調多地点送信／受信（ＣｏＭＰ）の構成を改善するように処理する。
【００２５】
図３の手順も同様に進み、すなわち第１のＳＲＳ構成のＳＲＳ送信を周期的に行い、追加のＳＲＳ送信が必要な場合、スケジューラが第２のＳＲＳ構成の追加のＳＲＳ送信を動的にスケジュールする。一般に、頻繁にアップリンクデータ送信を行う端末装置は、ＳＲＳから信頼できるチャネル状態情報を取得する必要があるので、特にこのような端末装置に対して追加のＳＲＳ送信をスケジュールすることができる。図３の実施形態では、第１のＳＲＳ構成も動的にスケジュールされたＳＲＳ構成であると想定することができ、この場合、スケジューラが端末装置のＳＲＳ送信を全てスケジュールすることができる。これらの両方のＳＲＳ構成のＳＲＳ送信は、たとえシングルビットを使用していても、同じダウンリンク制御チャネルのスケジューリングメッセージでトリガすることができる。或いは、これらの２つのＳＲＳ構成に別個のスケジューリングビットを使用することにより、２つの動的ＳＲＳ構成を別個にスケジュールすることもできる。
【００２６】
当然ながら、図３におけるステップＳ１及びＳ２の順序は任意であり、いずれかのＳＲＳ構成を他方のＳＲＳ構成前に構成してもよく、又はこれらを同時に構成してもよい。同様に、ステップＳ３の前にステップＳ４及びＳ５を行うこともできる。
【００２７】
上記では、端末装置のために単一のＳＲＳ構成のみを構成できると説明した。この単一のＳＲＳ構成は、周期的ＳＲＳ構成と動的ＳＲＳ構成を組み合わせた混合ＳＲＳ構成とすることができる。実際には、この混合ＳＲＳ構成のパラメータ及びリソースを、動的ＳＲＳ構成及び周期的ＳＲＳ構成のいずれか一方と同様に構成することができる。混合ＳＲＳ構成のＳＲＳ送信は、上述した第１のＳＲＳ構成のように周期的に実行することができ、さらなるＳＲＳ送信が必要な場合には、追加のＳＲＳ送信を動的にスケジュールすることができる。混合ＳＲＳ構成の動的ＳＲＳ送信及び周期的ＳＲＳ送信はいずれも、混合ＳＲＳ構成により定められる同じ送信パラメータ及びリソースを利用することができる。この実施形態の利点は、他の端末装置に使用されるＳＲＳリソースを開放する２つのＳＲＳ構成の代わりに単一のＳＲＳ構成を構成すればよい点である。
【００２８】
第２のＳＲＳ構成の動的にスケジュールされたＳＲＳ送信は、「ワンショット送信」とすることができ、これは実際に、第２のＳＲＳ構成のＳＲＳ送信がスケジュールされたときに、端末装置がＳＲＳ送信を一回だけ実施し、基地局から別のスケジューリングコマンドを受信した後にのみさらなるＳＲＳ送信を行うことを意味する。ワンショット送信又はスケジューリングは、別個の制御メッセージを使用することによってＳＲＳ送信を起動及び停止する方式と比較した場合、或いはＳＲＳ送信パラメータ及びリソースの構成を、ＭＡＣ層及び／又は物理層などの下位層上で構成する方式と比較した場合、エラーに対して耐性もある。低レベルのＳＲＳ構成では、肯定応答メッセージ（ＡＣＫ／ＮＡＣＫ）を利用してＳＲＳ構成の正しい受信を確認することはないが、ＲＲＣレベルのＳＲＳ構成では肯定応答メッセージを利用する。別個の起動及び停止メッセージを使用すると、端末装置が、ＳＲＳ構成の停止に失敗した場合にＳＲＳの送信を長期にわたって継続し、これにより同じＳＲＳ構成を割り当てられている別の端末装置に干渉する恐れがある。ワンショットスケジューリングでは、端末装置がＳＲＳスケジューリング許可メッセージを受信できなかった場合、端末装置はこの送信に失敗するだけであり、干渉を引き起こすことはない。
【００２９】
ＳＲＳ送信は、単一のＳＲＳの送信を含むこともでき、又はＳＲＳシーケンスの送信を含むこともできる。第２のＳＲＳ構成は、１つが端末装置の各アンテナのための複数の下位構成を含むことができる。各下位構成は、ＳＲＳ送信を他のＳＲＳ送信と区別できるようにする少なくとも部分的に異なる通信リソース又はその他のパラメータを含むことができる。第２のＳＲＳのＳＲＳ送信がスケジュールされると、ＳＲＳシーケンスの送信に適した送信タイミングをスケジューラが衝突なくスケジュールできるように、スケジューラ及び基地局も認識する所定の順序で連続するＳＲＳサブフレーム内の（又は、例えば異なるアンテナからの同じサブフレーム内の）第２のＳＲＳ構成の全ての下位構成のＳＲＳ送信を実施するように端末装置を構成することができる。異なる動的にスケジュールされたＳＲＳ構成を下位構成と見なすのではなく、これらを独立した動的にスケジュールされたＳＲＳ構成と見なし、スケジューラが、全ての動的にスケジュールされたＳＲＳの連続するワンショット送信を依然として１つのスケジューリングコマンドでトリガできるようにすることができる。
【００３０】
スケジューラが第２のＳＲＳ構成のＳＲＳ送信を、この第２のＳＲＳ構成のＳＲＳの送信が第１のＳＲＳ構成のＳＲＳの送信と、詳細には同じアンテナポートで衝突するようにスケジュールする状況が生じる場合がある。ＵＥが、周期的にスケジュールされたＳＲＳ送信と動的にスケジュールされたＳＲＳ送信をいずれも同じＳＲＳ記号で同じアンテナポートから送信するように構成されたときに衝突が発生する。このような場合、動的にスケジュールされたＳＲＳの送信を周期的ＳＲＳの送信に優先させることができる。実際には、周期的ＳＲＳの送信を取り消して、動的にスケジュールされたＳＲＳの送信を行う。端末装置は、端末装置の異なるＳＲＳ構成のＳＲＳの衝突を検出するように構成された衝突検出ユニットを含むことができる。同様に、基地局は、周期的ＳＲＳの代わりにそのパラメータを含む動的にスケジュールされたＳＲＳが基地局で受け取られていることを検出できるような同様のユニットを含むことができる。しかしながら、基地局のスケジューラは前もって衝突に気付き、動的ＳＲＳ送信が周期的ＳＲＳに衝突するようにスケジュールするような意図的な決定を行う。
【００３１】
図４に、第２のＳＲＳ構成の動的スケジューリングを示す。図４には、ダウンリンク及びアップリンク両方のサブフレーム、及びサブフレーム内の制御リソースを示している。スケジューラは、第２のＳＲＳ構成のＳＲＳを図４の「スケジュール済みＳＲＳ」によって示すアップリンクＳＲＳで送信するように端末装置を動的にスケジュールし、スケジューリングを示す情報要素を含む物理ダウンリンク制御チャネル制御（ＰＤＣＣＨ）メッセージを端末装置に対して作成するように基地局の送信機を制御する。スケジューラは、送信機の処理時間、基地局と端末装置の間の無線チャネル上の移動時間、及び受信したＰＤＣＣＨメッセージを処理してアップリンクＳＲＳ送信を準備するために端末装置が必要とする処理時間を考慮に入れる。端末装置は、スケジューリングを示すＰＤＣＣＨメッセージを受け取ると、このＰＤＣＣＨメッセージを処理し、端末装置の送信機を、第２のＳＲＳ構成のＳＲＳを第２のＳＲＳ構成のサブフレームオフセット及び／又は周期性パラメータにより決定される次の利用可能なＳＲＳリソースで送信するように制御する。
【００３２】
このスケジューリングを示す情報要素を、データパケットのアップリンクスケジューリングを示すアップリンク許可メッセージに含めることもできる。しかしながら、アップリンク許可メッセージは、必ずしも頻繁に送信されるとは限らない。さらに、通常は、ＵＬデータをスケジューリングする前にチャネル知識が必要である。従って、ＳＲＳ送信のスケジューリングに関する情報を、送信電力制御コマンドを伝えるために使用され、端末装置へ頻繁に送信されるＵＭＴＳ  ＬＴＥ（Ａｄｖａｎｃｅｄ）のＰＤＣＣＨフォーマット３Ａタイプのメッセージに含めることができる。この結果、端末装置に対してアップリンクデータ送信が同時にスケジューリングされているかどうかに関わらず（又はこれとは無関係に）、スケジューリング情報を含むダウンリンク制御メッセージが端末装置へ送信されるようになる。追加のＳＲＳ送信をより頻繁にスケジュールすることができ、これによりＳＲＳリソースをより効率的に利用できるようになることが利点である。制御メッセージの両方の実施形態では、制御メッセージが、第２のＳＲＳ構成のＳＲＳの（ワンショット）送信が端末装置に対してスケジュールされているかどうかを端末装置に示す１ビットの情報要素を含むことができる。当然ながら、この共通の制御メッセージは、複数の端末装置のためのこのような１ビットの情報要素を含み、各端末装置は、制御メッセージの特定の（予め設定された）箇所から正しい１ビット要素を読み取るように構成される。図３の説明では単一の端末装置しか話題にしていないが、図３のステップＳ４のスケジューリングでは、基地局が、共通の制御メッセージを使用することにより同時に複数の端末装置をスケジュールすることができる。
【００３３】
図５Ａ〜図５Ｃに、仮定される無線チャネルのコヒーレンス時間よりも短い時間内における端末装置から基地局への複数のＳＲＳの送信を示す。これにより、ＳＲＳの信頼性を改善するようにＳＲＳ送信を組み合わせることができるので、ＳＲＳ分析の性能が向上する。このような組み合わせを行うことを、「ＳＲＳバンドリング」と呼ぶことができる。図５Ａの例では、端末装置が、２つの周期的ＳＲＳ構成で構成される。この２つのＳＲＳ構成の周期性パラメータは同じであってもよく、サブフレームオフセットは、１又はそれ以上のサブフレームごとに異なってもよいが、サブフレームオフセットの差分は、チャネルのコヒーレンス時間よりも小さいことが好ましい。この結果、サブフレームオフセットの差分が１サブフレームである場合、又はチャネルのコヒーレンス時間よりも短い持続時間によって分離されたサブフレームでは、２つのＳＲＳ構成のＳＲＳ送信が、連続するサブフレームで周期的に行われる。基地局におけるＳＲＳ分析では、チャネル状態に関するより多くの情報をＳＲＳ分析に提供するために、チャネルのコヒーレンス時間内にある２つのＳＲＳ構成のＳＲＳ送信を集約する。このシナリオでは、動的にスケジュールされたＳＲＳ送信は考慮していない。
【００３４】
図５Ｂの例では、端末装置が、周期的なＳＲＳ構成及び動的にスケジュールされたＳＲＳ構成によって構成される。両方のＳＲＳ構成の構成において、２つのＳＲＳ構成の周期性パラメータが同じになるように周期性パラメータを利用することができる。また、サブフレームオフセットは、１又はそれ以上のサブフレームごとに異なってもよいが、サブフレームオフセットの差分は、チャネルのコヒーレンス時間よりも小さいことが好ましい。この結果、サブフレームオフセットの差分が１サブフレームである場合、又はチャネルのコヒーレンス時間よりも短い持続時間によって分離されたサブフレームでは、連続するサブフレーム内に２つのＳＲＳ構成のＳＲＳリソースが周期的に生じる。この結果、スケジューラは、動的にスケジュールされたＳＲＳ構成のＳＲＳ送信をスケジュールして、両方のＳＲＳ構成のＳＲＳ送信がチャネルのコヒーレンス時間内に行われるようにＳＲＳ送信を行うことができるようになる。従って、チャネル状態に関するより多くの情報をＳＲＳ分析に提供するために、チャネルのコヒーレンス時間内にある２つのＳＲＳ送信を集約する。
【００３５】
図５Ｃの例では、端末装置が、２つ（又はそれ以上）の動的にスケジュールされたＳＲＳ構成で構成される。ＳＲＳ構成の周期性パラメータ及び／又はサブフレームオフセットを、２つのＳＲＳ構成のＳＲＳ送信がチャネルのコヒーレンス時間内にあるＳＲＳリソースを常に使用するように構成することもでき、或いはＳＲＳ構成を、２つのＳＲＳ構成のＳＲＳ送信が任意の周期性パラメータ及び／又はサブフレームオフセットを利用するように構成することもできる。後者の実施形態では、２つのＳＲＳ構成の送信可能タイミング及びチャネルのコヒーレンス時間を認識しているスケジューラが、チャネルのコヒーレンス時間内にＳＲＳ送信が行われるように２つのＳＲＳ構成の送信タイミングを選択することができる。その後、ＳＲＳ分析を向上させるためにＳＲＳ送信を集約することができる。このようなＳＲＳ送信を常に利用することができ、２つのＳＲＳ構成の送信タイミングが一致する好適な時点をスケジューラが待つ必要がないという意味で、ＳＲＳ構成の一方を、スケジューリングに柔軟性を与える唯一のタイミングパラメータとしてのサブフレームオフセットで構成することができる。他方のＳＲＳ構成は、周期的なタイミングリソース又はサブフレームオフセットのみのいずれかを定義することができ、後者の場合、両方のＳＲＳ構成のＳＲＳ送信を常にスケジューリングに利用することができる。両方の場合、共通のスケジューリング許可メッセージ（又はスケジューリングメッセージ内の共通コマンド（１ビット））を使用することにより、両方のＳＲＳ構成をスケジュールすることができる。別の選択肢は、別個のスケジューリング許可制御メッセージでＳＲＳ送信をトリガすることである。
【００３６】
図５Ａ〜図５Ｃの例は、単一アンテナのアップリンクＳＲＳサウンディングに関するものであるが、当然ながら、これらはシングルユーザＭＩＭＯサウンディングにも当てはまる。このとき、端末装置の複数のアンテナは、別個のＳＲＳ構成を有することができ、図５Ａ〜図５Ｃの複数の並行処理を適用することにより、図５Ａ〜図５Ｃの実施形態を実施することができる。チャネルのコヒーレンス時間内に複数のＳＲＳ送信を割り当てることで、ＳＲＳ送信の適用範囲が向上する。特に、追加のＳＲＳ送信に起因してセルの端部に位置する端末装置に対し、信頼できるＳＲＳ分析を保証することができる。
【００３７】
図６に、本発明の実施形態による装置の例示的な構造を示す。この装置は、上述した端末装置に適用することができる。この装置は、セルラー通信システムの基地局と無線接続を確立できるようにする無線インターフェイス要素６０６を含む。この無線インターフェイス要素６０６を、端末装置がサポートするＵＭＴＳ  ＬＴＥ及び／又は別の通信システムの仕様に基づいて送信信号及び受信信号を処理するように構成することができる。この装置は、無線通信に必要な通信パラメータ及びその他のパラメータを記憶するメモリユニット６０４をさらに含む。メモリユニット６０４は、本発明の実施形態を実施するように装置を構成する１又はそれ以上のコンピュータプログラムを記憶することもできる。
【００３８】
装置は、（いくつかの実施形態では１又はそれ以上のコンピュータプログラムにより駆動される）本発明の実施形態を端末装置内で実現する通信制御回路６００をさらに含む。通信制御回路６００は、端末装置内で行われる通信動作を制御する。通信制御回路６００は、ＳＲＳ送信制御回路６０２をサブ回路として含むことができる。ＳＲＳ送信制御回路６０２は、基地局から無線インターフェイス要素６０６を介してＳＲＳ構成を受け取り、このＳＲＳ構成をメモリユニット６０４に記憶する。次に、ＳＲＳ送信制御回路６０２は、メモリユニット６０４に記憶されたＳＲＳ構成に示されるようなＳＲＳリソース及びその他のパラメータを使用することにより、周期的ＳＲＳ構成のＳＲＳを端末装置へ周期的に送信させる。通信制御回路６００は、動的にスケジュールされたＳＲＳ送信を検出するために、ＰＤＣＣＨ制御メッセージを継続的にモニタすることができる。通信制御回路は、ＰＤＣＣＨ制御メッセージ内で動的にスケジュールされたＳＲＳ送信を検出した場合、動的にスケジュールされたＳＲＳ構成の次に利用可能なＳＲＳリソースでＳＲＳ送信を行うようにＳＲＳ送信制御回路６０２に指示する。次に、ＳＲＳ送信制御回路６０２は、動的にスケジュールされたＳＲＳ構成で指定される次の利用可能な送信時点を求めてメモリユニット６０４をチェックし、動的にスケジュールされたＳＲＳ構成に従って次の可能なＳＲＳリソースでＳＲＳを送信するように無線インターフェイス要素６０６を制御する。
【００３９】
図７に、本発明の実施形態による別の装置の例示的な構造を示す。この装置は、上述した基地局に適用することができる。この装置は、端末装置と無線接続を確立できるようにする無線インターフェイス要素７０６を含む。この無線インターフェイス要素７０６を、ＵＭＴＳ  ＬＴＥ及び／又は別の通信システムの仕様に基づいて送信信号及び受信信号を処理するように構成することができる。この装置は、無線通信に必要な通信パラメータ及びその他のパラメータを記憶するメモリユニット７０４をさらに含む。メモリユニット６０４は、本発明の実施形態を実施するように装置を構成する１又はそれ以上のコンピュータプログラムを記憶することもできる。
【００４０】
装置は、（いくつかの実施形態では１又はそれ以上のコンピュータプログラムにより駆動される）本発明の実施形態を基地局内で実現する通信制御回路７００をさらに含む。通信制御回路７００は、基地局内で行われる通信動作を制御する。通信制御回路７００は、ＳＲＳスケジューラ回路７１０、ＳＲＳ分析回路７１４、及びＲＲＣ回路７１２をサブ回路として含むことができる。ＲＲＣ回路７１２は、ＲＲＣレベルの構成及びＳＲＳ構成の再構成を半静的に処理することができる。従って、ＲＲＣ回路７１２は、基地局によって制御される端末装置に周期的ＳＲＳ構成及び動的ＳＲＳ構成を割り当てることができる。ＲＲＣ回路７１２は、端末装置につき１つの周期的ＳＲＳ構成を割り当てることができるが、複数の端末装置に同じ動的ＳＲＳ構成を割り当てることもできる。ＲＲＣ回路は、割り当てられたＳＲＳ構成を、各ＳＲＳ構成を割り当てられた端末装置の識別子に関連付けて記憶し、ＲＲＣ回路７１２、ＳＲＳスケジューラ７１０、及びＳＲＳ分析回路７１４が、どのＳＲＳ構成がどの端末装置に割り当てられているかを認識するようにすることができる。
【００４１】
ＳＲＳ分析は、端末装置から無線インターフェイス要素を介して受け取ったＳＲＳ送信を分析する。ＳＲＳ分析回路は、所与の端末装置と基地局の間のアップリンク（及び考えられる互いのダウンリンク）チャネル状態を判定する。ＳＲＳ分析回路は、所与の端末装置の劣化したＳＲＳ送信の品質を検出し、これを受けてＳＲＳ分析の品質を向上させるために、端末装置に対して追加のＳＲＳ送信をスケジュールするようにＳＲＳスケジューラに指示することができる。追加のＳＲＳ送信のスケジューリングを発生させる別のイベントは、アップリンクデータの送信を要求するアップリンクスケジューリング要求を端末装置から受信することに関する。通信制御回路７００は、データ送信に使用するアップリンクリソースを決定する前に、ＳＲＳ分析を向上させるために追加の（単複の）ＳＲＳ送信をスケジュールするようにスケジューラを制御し、この結果アップリンクデータを送信するためのリソース割り当ての性能を向上させることができる。ＳＲＳ分析回路は、追加のＳＲＳ送信を受け取ると、上述したように、端末装置から受け取った複数のＳＲＳ送信をチャネルのコヒーレンス時間内に集約することができる。ＳＲＳスケジューラ回路７１０は、動的ＳＲＳ構成の送信を、ＳＲＳ分析回路（又は通信制御回路７００の他の部分）が要求する通りにスケジュールする。
【００４２】
本出願で使用する「回路」という用語は、（ａ）アナログ回路のみ及び／又はデジタル回路のみにおける実施構成のようなハードウェアのみの回路実施構成、及び（ｂ）（適用可能な場合）装置に様々な機能を実行させるべく協働するデジタルシグナルプロセッサ、ソフトウェア、及びメモリを含む（ｉ）プロセッサの組み合わせ、又は（ｉｉ）プロセッサ／ソフトウェアの一部、などの回路とソフトウェア（及び／又はファームウェア）の組み合わせ、及び（ｃ）ソフトウェア又はファームウェアが物理的に存在しない場合でも動作にソフトウェア又はファームウェアを必要とするマイクロプロセッサ又はマイクロプロセッサの一部などの回路、の全てを意味する。
【００４３】
この「回路」の定義は、本出願におけるこの用語の全ての使用に適用される。さらなる例として、本出願で使用する「回路」という用語は、１つのプロセッサ（又は複数のプロセッサ）のみの、又はプロセッサの一部とその（又はそれらの）付属ソフトウェア及び／又はファームウェアの実施構成も含む。「回路」という用語は、例えば、及び特定の要素に適用可能な場合、携帯電話のためのベースバンド集積回路又はアプリケーションプロセッサ集積回路、又はサーバ、セルラーネットワーク装置、又は別のネットワーク装置における同様の集積回路も含む。
【００４４】
図２〜図５に関連して説明した処理又は方法は、コンピュータプログラムにより定義されるコンピュータ処理の形で実施することもできる。コンピュータプログラムは、ソースコード形式、オブジェクトコード形式、又は何らかの中間形式をとることができ、これを、プログラムを搬送できるいずれのエンティティ又は装置であってもよい何らかの種類のキャリアに記憶することができる。このようなキャリアとして、例えば、記録媒体、コンピュータメモリ、読み取り専用メモリ、電気搬送波信号、電気通信信号、及びソフトウェア配布パッケージが挙げられる。必要な処理能力に応じ、コンピュータプログラムを単一の電子デジタル処理ユニットで実行することも、又は多くの処理ユニット間に分散させることもできる。
【００４５】
本発明は、上記で定義したセルラー又は移動通信システムだけでなく、他の好適な通信システムにも適用可能である。セルラー通信システムは、端末装置に無線サービスを提供する固定インフラストラクチャを有することができる。使用するプロトコル、移動通信システムの仕様、これらのネットワーク要素、及び加入者端末が急速に開発されている。このような開発により、説明した実施形態に特別な変更が必要となることもある。従って、全ての単語及び表現は広義に解釈すべきであり、これらは実施形態を例示するためのものであり、限定するためのものではない。
【００４６】
当業者には、技術が進歩するにつれ、本発明の概念を様々な方法で実施できることが明らかになるであろう。本発明及びその実施形態は、上述の例に限定されるものではなく、特許請求の範囲内で変更することができる。
【符号の説明】
【００４７】
２０２  第１のサウンディング基準信号構成を構成
２０４  第２のサウンディング基準信号構成を構成
２０６  第１のサウンディング基準信号構成と第２のサウンディング基準信号構成の両方を並行使用で維持
【図１】
0005452727.tif 000002
【図２】
0005452727.tif 000003
【図３】
0005452727.tif 000004
【図４】
0005452727.tif 000005
【図５Ａ】
0005452727.tif 000006
【図５Ｂ】
0005452727.tif 000007
【図５Ｃ】
0005452727.tif 000008
【図６】
0005452727.tif 000009
【図７】
0005452727.tif 000010
【図８】
0005452727.tif 000011